(57)【要約】      （修正有）【課題】インクジェット記録装置で長尺系ヘッドを使用した場合に最適な回復手段を提供する。【解決手段】インクを吐出し画像を形成する少なくとも一つの記録ヘッド１ａと、前記記録ヘッド１ａを密閉可能に覆う密閉キャップ４ａと、前記密閉キャップに連通するポンプ８とを有するインクジェット記録装置において、密閉キャップ４ａとポンプ８の間に設けられた圧力室７を経由する第１の液体流路と、前記圧力室７を迂回しつつ密閉キャップ４ａとポンプ８を連通可能にする第２の液体流路とを有し、前記第１の液体流路と前記第２の液体流路を選択可能にしたことを特徴とするインクジェット記録装置。【選択図】図２
2008254343.tif 000002
【特許請求の範囲】
【請求項１】
インクを吐出し画像を形成する少なくとも一つの記録ヘッドと、前記記録ヘッドを密閉可能に覆う密閉キャップと、前記密閉キャップに連通するポンプとを有するインクジェット記録装置において、
密閉キャップとポンプの間に設けられた圧力室を経由する第１の流路と、前記圧力室を迂回しつつ密閉キャップとポンプを連通可能にする第２の流路とを有し、前記第１の流路と前記第２の流路を選択可能にしたことを特徴とするインクジェット記録装置。
【請求項２】
前記密閉キャップと前記圧力室の間に設けられ、前記第１の流路と前記第２の流路を選択可能な第１の切換え手段と、前記圧力室と前記ポンプの間に設けられ、前記第１の流路と前記第２の流路を選択可能な第２の切換え手段とを有することを特徴とする請求項１記載のインクジェット記録装置。
【請求項３】
前記第１の流路の一部に大気との接続路を開閉する手段を設けたことを特徴とする請求項１又は２に記載のインクジェット記録装置。
【請求項４】
前記密閉キャップは、前記記録ヘッドに設けられたインク吐出口付近を覆うように設けられたこと特徴とする請求項１、２、３のいずれかに記載のインクジェット記録装置
【請求項５】
前記記録ヘッドは長尺であることを特徴とする請求項１、２、３、４のいずれかに記載のインクジェット記録装置。
【請求項６】
前記記録ヘッドは複数設けられ、この複数の前記記録ヘッドに各々対応して前記密閉キャップが複数設けられ、前記複数の密閉キャップと、前記圧力室の間に設けられた継ぎ手部材によって連結された流路に、前記第１の流路と、前記第２の流路が接続されたことを特徴とする請求項１、２、３、４、５のいずれかに記載のインクジェット記録装置。
【請求項７】
前記記録ヘッドは電気熱変換体によって、インクを吐出させるヘッドであることを特徴とする請求項１、２、３、４、５、６のいずれかに記載のインクジェット記録装置。
【発明の詳細な説明】
【技術分野】
【０００１】
本発明は画像形成を行う為にインクを吐出する記録ヘッドを備え、記録ヘッドを良好なインク吐出状態に回復させる機能を有するインクジェット記録装置である。
【背景技術】
【０００２】
インクジェット記録装置において、画像を形成する場合インクを吐出する記録ヘッドが、紙や樹脂製の被印字媒体（以下メディアという）に対してインクを吐出し、記録ヘッドとメディアが相対移動することによって画像の形成を行う事が知られている。
【０００３】
インクジェット記録装置の画像形成方法としては、メディアと印字ヘッドを互いに直行する方向に移動させつつ画像を形成するシリアル方式と呼ばれる方法と、固定した記録ヘッドに対して、記録ヘッド下部にメディアを移動させ、画像を形成するライン方式と呼ばれる方法とに大別される。
【０００４】
近年では、高速印字及び装置の小型化に有利なライン方式の画像形成方法が増加傾向にあり、ヘッドのインク吐出口の配列方向に対しての大型化が進み、４インチヘッド等の長尺ヘッドを用いている。
【０００５】
さらに、インクジェット記録方式の技術の進歩に伴い、高速大量印刷の分野においてもライン方式のインクジェット記録装置が採用され始めている。
【０００６】
高速大量印刷を行うに当たって、インク容量も大容量化する必要が生じ、大容量を収容可能なインクタンクが必要となる。
【０００７】
そのため、従来からある記録ヘッドの近傍にインクタンクを設置するものでは機能を満足できず、インクタンクを記録ヘッドから離れた適切な位置に設置し、別途設けたインク供給手段によりインクを供給する装置を用いることになる。
【０００８】
記録ヘッドにインクを供給する方法として、インク供給経路の途中にサブタンクを設けている。サブタンクは、記録ヘッドへのインクの供給量調整、並びに記録ヘッドのインクメニスカス保持の機能がある。
【０００９】
記録ヘッドの状態として、記録ヘッドに設けられたインク吐出口へ充填されるインクに泡などの混入がないこと。また、乾燥や劣化によるインクの流動性が低下していない等であることが望ましい。
【００１０】
そこで、記録ヘッドの状態を保つ為に、一定のタイミングで記録ヘッド内のインクを置換する動作が行われる。
【００１１】
このインク置換動作の一例として、インク吐出口を覆う密閉キャップを設け、密閉キャップ内にポンプ等の加減圧装置により吸引し、インク吐出口からインクを吸い出す回復方法（以下通常負圧回復という）があり、回復装置構成を簡素化できるという長所を持っている。
【００１２】
しかし、通常負圧回復の回復性能はポンプ能力に依存することになり、例えばシリンダを用いたポンプでは、シリンダ内容積と、シリンダ駆動速度の関係により、回復性能は決定してしまう。
【００１３】
すなわち、キャップ内を含む流路容積とポンプのシリンダ容積、シリンダ駆動速度の相対関係から、最大負圧と、経過時間の関係が決定する（図示せず）。
【００１４】
負圧とは、大気圧を０ｋｇｆ／ｃｍ２とした場合の大気圧を下回る圧力を言う（―１ｋｇｆ／ｃｍ２が真空圧になる）。
【００１５】
この時、ポンプ駆動初期から徐々に減圧され、一定時間かけ最大負圧（通常負圧回復では−０．２ｋｇｆ／ｃｍ２〜−０．３ｋｇｆ／ｃｍ２が一般的）へ到達する。
【００１６】
よって、ポンプ能力が一定であれば、流路容積が大きいほど最大負圧に達する時間が大きくなり、また、流路内の容積を極力小さくすることで、最大負圧に達する時間を短縮する事が通常負圧回復では有用である。
【００１７】
ところで、ヘッド内に気泡が大量に発生したり、インクが乾燥等による粘度変化により流動性が著しく低下した場合は、ある程度高い負圧力が（流体速度が上がる）必要となる。
【００１８】
通常負圧回復では、負圧力はそれほど高くなく（−０．２ｋｇｆ／ｃｍ２〜−０．３ｋｇｆ／ｃｍ２）さらに最高負圧に到達するまでの数秒（通常２〜３秒程度）インクを流出し続けなければならない。
【００１９】
インク流出量の増加はインクの使用効率を下げてしまうため、インク流出量を減少させる必要がある。ゆえに、キャップ内の容積に瞬時に高い負圧力を与えインク流出時間を短縮しなければならない。
【００２０】
そこで、ポンプと密閉キャップとの間に負圧力を一時的に蓄積できる圧力室を設ける方法が特許文献１に記載されている。
【００２１】
特許文献１によるところ、ポンプとキャップの途中にバルブ等の開閉部材を設け、開閉部材によって密閉キャップと圧力室を遮断する。この状態でポンプを動作させ、圧力室の負圧力を高める。
【００２２】
所定の圧力に到達したところで、開閉部材によって密閉キャップと圧力室を開放することで、密閉キャップに瞬時に高い負圧力を作用させる（以下負圧充填回復という）。
【００２３】
先にも述べたが、近年ではヘッドの吐出口の配列方向に対して大型化が進み、２インチヘッドを超える長尺系ヘッドを用いるインクジェット印刷装置が考案されている。
【００２４】
これらのヘッドを覆いこむキャップを用いる場合は、キャップ容積が必然的に大きくなる為、負圧力の保持継続時間を長くする必要があり、圧力室の大容量化を招くことになる。
【００２５】
【特許文献１】特開平１０―２１１７２０
【発明の開示】
【発明が解決しようとする課題】
【００２６】
インクジェット印刷装置では、通常負圧回復は数時間〜数日程度の間隔で実施され、使用頻度が高い。
【００２７】
また、負圧充填回復は数日〜数ヶ月装置を動かさなかった場合（インクの流動性が著しく低い場合）に実施され、使用頻度は低い。
【００２８】
ところが、前記圧力室を経由する流路で、特に長尺ヘッドを使用して通常負圧回復を行うと、ヘッドの大きさに応じた圧力室が設けてあることから、前記したとおり、最大負圧力に達するまでの時間が余分にかかってしまうという課題を抱えることになった。
【００２９】
さらに、最大負圧力に達するまでの時間が余計に掛かる分インクを無駄に流出してしまう副作用も課題として存在する。
【００３０】
そこで、本発明で提案するところは、以上を鑑みて成されたものであり、負圧充填回復と、通常負圧回復を各々使い分ける必要があるインクジェットプリンタ等のインクジェット記録装置で、特に長尺系ヘッドを使用した場合に最適な回復手段を提供するものである。
【課題を解決するための手段】
【００３１】
本発明は、インクを吐出し画像を形成する少なくとも一つの記録ヘッドと、記録ヘッドを密閉可能に覆う密閉キャップと、密閉キャップに圧力を作用させるポンプと、により記録ヘッドを回復するインクジェット印刷装置において、
密閉キャップとポンプの流路中に設けられた圧力室と、圧力室を経由する第１の流路と、圧力室を迂回しつつ密閉キャップとポンプを連通可能にする第２の流路と、第１の流路と前記第２の流路を選択可能にすることで達成するものである。
【発明の効果】
【００３２】
以上説明したように、本発明によれば、負圧充填回復と、通常負圧回復を各々使い分けて使う必要があるインクジェットプリンタ等インクジェット記録装置で、特に長尺系ヘッドを使用した場合に最適な回復手段を提供することが可能になる。
【発明を実施するための最良の形態】
【００３３】
［第１の実施形態］
＜インクジェット記録装置構成＞
図１は実施例を示すインクジェット記録装置の記録ヘッドユニット部１及びインク供給部５の概略斜視図であり、図２は記録ヘッド１ａ及びインク供給部５内のインク流路の簡略図である。
【００３４】
記録ヘッド１ａは記録画像の幅（４インチ幅）に相当する一列のインクを吐出する吐出口（以下ノズル２ａ）がフェイス面２と呼ばれるインクを吐出する面に設けられている長尺ヘッドであり、このように形成された記録ヘッド１が６本搭載されている。
【００３５】
インク吐出口配列幅が約２インチ以上のヘッドを長尺ヘッドと呼び、本実施例の形態では４インチヘッドを用いたが、６インチ、８インチに及ぶものへの応用も可能である。
【００３６】
記録ヘッド１ａのフェイス面２に設けられるインク吐出用のノズル２ａは通常１ヘッドに対し、長手方向に１列設けられているものが一般的であるが、長手方向に対して複数列設けられているヘッドでもよい。
【００３７】
さらに、前記記録ヘッド１ａを少なくとも１つ備えて在れば良く、ヘッドの搭載数を限定するものではない。
【００３８】
前記６本の記録ヘッド１ａはノズル２ａとメディアの搬送方向が直交する向きに順次並ぶ形で搭載されている。フルカラー画像を形成する際は各記録ヘッド１ａが各種印字媒体（以下メディア３０）の搬送方向上流側からそれぞれブラック、シアン、ライトシアン、マゼンタ、ライトマゼンタ、イエローのインクを搭載し、各色を吐出しフルカラー画像の形成を行う。
【００３９】
各記録ヘッド１ａの並び順はフルカラー画質の向上を目的としてさまざまな並び順が構成可能であり、使用するインクにおいても同様にさまざまな色、組成（染料や顔料等）の物を用いることは可能である。
【００４０】
また、画像形成のスピードを上げることを目的として、前記６本の記録ヘッド１ａ全てにブラックインクを搭載して吐出する構成をとることも可能である。
【００４１】
以下に、主にヘッドの回復を行う吸引装置の説明をする。
【００４２】
それぞれの記録ヘッド１ａのフェイス面２下部には各記録ヘッド１ａのノズルを直接ふさぐことなくノズル付近を覆うように密閉するキャップ部材４ａが設けられている。
【００４３】
本実施例ではキャップ部材４ａは材質が塩素化ブチルゴムであり、硬度も２０°のものを用いた。
【００４４】
キャップの密閉性は確実に保持しなければならない為、前記特性に近い材質を用いることが望ましいが、密閉性を確保することが可能ならこれにこだわるものではない。
【００４５】
また、前記記録ヘッド１ａに複数列のノズルを設けたヘッドであっても、同様である。
【００４６】
それぞれのキャップ部材４ａの側縁部には、記録ヘッド１ａのフェイス面２を拭き取る図示しないブレード部材が設けられている。ブレード部材は、使用回数や、拭き取り性能を考慮すれば良く、何れを用いることも可能である。
【００４７】
これらキャップ部材４ａ、ブレード部材を保持し、記録ヘッド１ａの長手方向に対して直角に移動可能な（図中Ｘ）キャップトレイ４が設置されている。
【００４８】
また、キャップトレイ４は、キャップ部材４ａ間の部分に、ヘッドが通過できる間隙が設けられ、印字時は図中Ｘ方向へ移動し、記録ヘッドがキャップ部材４ａの間隙を印字可能な位置まで下降できる様に回避する構成になっている。
【００４９】
ヘッドユニット１の下部にはメディア搬送部５０が設けられており、メディア３０が所定速度で各記録ヘッド１ａ直下を搬送される。
【００５０】
この時、メディア３０の搬送速度情報を各記録ヘッド１ａにフィードバックし、メディア３０に対するインク吐出タイミングが決定される。
【００５１】
キャップ部材４ａは連結チューブ６ａにより、流路切換器５ａと連結する。
【００５２】
圧力室７は圧力を一時的に蓄積させることが可能な容器を用い、負圧充填回復においては最大−０．８ｋｇｆ／ｃｍ２〜−０．９ｋｇｆ／ｃｍ２の負圧力が発生する為、変形せず空気漏れしないような容器にする必要がある。
【００５３】
本実施例ではガラスによる容器を用いたが、ステンレス等の金属性でも良い。また、硬度の低い材質でも変形しないような構造になっていればよい（板金であれば絞り等、樹脂であればリブ等）。
【００５４】
圧力室７の容積は、本実施例で使用した４インチヘッド１本に最適な１０００ＣＣとした。
【００５５】
ただし、用いるインクの特性や、ノズル寸法、圧力室７以外の流路容積等、インクの流動性に影響を及ぼす要素を考慮し、適宜容積を決定しても良い。
【００５６】
流路切換器５ａ（第１の切換え手段），５ｂ（第２の切換え手段）は各々圧力室７と連結チューブ６ｂ、６ｃによって接続される。
【００５７】
また、連結チューブ６ｂ、６ｃと圧力室７を繋いだ第１の流路である圧力室側流路の始点、終点となる。
【００５８】
さらに流路切換器５ａ、５ｂを直接繋ぎ、圧力室７を迂回する第２の流路である迂回流路６ｄによって連通されている。
【００５９】
第２の流路である迂回流路６ｄの始点、終点も流路切換器５ａ、５ｂによって成されている。
【００６０】
迂回流路６ｄはチューブ等の円管部材を用いれば、円管断面と円管の長さの数値によって迂回流路６ｄの内容積を設定し易い。すなわち圧力室７との容積比較が行いやすく持ちいり易い。
【００６１】
本実施例では迂回流路６ｄの容積は約０．３ｃｃ（内径３ｍｍ、長さ５０ｍｍのチューブ容積として）である。
【００６２】
ゆえに、圧力室７と迂回流路６ｄの内容積は１０００：０．３であり、純粋に容積内を特定負圧にする為に必要な時間の比となる。（その他流路は考慮しない場合）
負圧充填回復においては最大−０．８ｋｇｆ／ｃｍ２〜−０．９ｋｇｆ／ｃｍ２の負圧力が発生する為、連結チューブ６ａ，６ｂ、６ｃ、迂回流路６ｄを構成する部材は、発生する負圧力により変形しないような材質を用いる必要がある。
【００６３】
本実施例ではＰＥ（ポリエチレン）製の物を用いたが、ガラス、金属パイプ等でも良く、変形を防止する性質を持ち合わせていれば何れを用いることも可能である。形状も円形以外を用いても同様の効果は得られる。
【００６４】
流路切換器５ａ，５ｂは空気圧により弁の開閉を行い、流体の出入口が３個設けられ、３個の出入り口の開閉を選択できるものを用いているが、電磁弁式や、カム回転による弁開閉式の流路切換器、また手動式等、市販されている何れの方式においても同様の効果が得られる。
【００６５】
圧力室７上部に大気との接続路を開閉可能に切換える手段である大気開放弁７ａが接続されている。ここで用いられる大気開放弁７ａも電磁式やカム方式など何れにおいても同様の効果が得られ、何れを用いることも可能であるが、大気の開放、密閉を選択可能で圧力室を開閉可能であればよく、方式を限定するものではない。
【００６６】
吸引ポンプ８は連結チューブ６ｅによって流路切換器５ｂと接続されている。吸引ポンプ８は一般的にチューブポンプと呼ばれているものを用いた。
【００６７】
吸引ポンプ８は圧力を発生可能であれば良く、ピストン式、ダイヤフラム式等を用いても、圧力の特性を考慮に入れて用いれば同様の効果が得られる。
【００６８】
以上構成から、流路切換器５ａ，５ｂの開閉状態により、キャップ部材４ａから圧力室７へ連通し、圧力室７から連結チューブ６ｅを介在し、吸引ポンプ８へ連通可能な第１の流路である圧力室側流路が設けられる。
【００６９】
また、キャップ部材４ａから迂回流路６ｄを介在し、吸引ポンプ８へ連通可能な第２の流路である迂回流路を設けられる事も可能である。
【００７０】
キャップ部材４ａ、連結チューブ６ａ、６ｂ，６ｃ、切換器５ａ、５ｂ、圧力室７、迂回流路６ｄ、大気開放弁７ａ、吸引ポンプ８、これら構成が各ヘッドに対応して設けられたものである。
【００７１】
インク供給部５は、インクの貯留、ヘッドへのインク供給量調整を主に行うものである。
【００７２】
インク供給部５内に設けられた、加圧チューブ９ａ及び返還チューブ９ｂは記録ヘッド１ａと接続されている。さらに、加圧チューブ９ａ，返還チューブ９ｂの他端にサブタンク１５が設けられている。
【００７３】
サブタンク１５には、大気の開閉可能な切換え手段である大気開放弁１５ａが上部に接続されている。ここで用いられる大気開放弁１５ａは圧力室７に設けられた大気開放弁７ａと同様の機能を有している。
【００７４】
サブタンク１５は、記録ヘッド１ａのメニスカス保持を行い、高画質印字が継続的に行えるようになっている。
【００７５】
また、サブタンク１５のインクの有無を検知するインク検知手段であるインク検知端子１５ｈを備えている。
【００７６】
インク加圧ポンプ１２ａはヘッド内のインクを循環させる機能を持ち、補助的にヘッド内の回復を行う。
【００７７】
インク補給ポンプ１２ｂはインクタンク２０からサブタンク１５へインクを供給する機能を持ち、サブタンク１５内のインクが減少した場合、適宜インクを供給するものであり、サブタンク１５にはインクタンク２０と連結するチューブ３０を持っている。
【００７８】
以下に本実施例の回復装置の動作説明を図３から図６を用いて行う。
【００７９】
図３から図６に掛けて、装置電源投入時やインクを大量に消費するなどの所定の印字後など、ヘッド内に泡が大量に発生し得る状況でのヘッド内の泡を除去する必要があるヘッドクリーニング（以下充填回復という）の動作を示す。
【００８０】
吸引キャップ４ａをヘッドに設けたノズル２ａを直接ふさぐことなく密閉可能な状態にする為に、吸引キャップ４ａを図示しない駆動手段によりヘッドユニット１下部へ移動させる。
【００８１】
続けてヘッドユニット１を吸引キャップ４ａに向かって降下させることによって、記録ヘッド１ａに設けたノズル２ａを直接ふさぐことなく密閉可能な状態になる。
【００８２】
この時、供給開閉弁１５ｂは開き、ヘッドに対してインクを供給できる状態にしておく。
【００８３】
また、サブタンク１５内のインクが所定の量に達していない場合は、インクタンク２０からサブタンク１５へインクを供給する。
【００８４】
インク補給動作として、大気開放弁１５ａを開き、供給開閉弁１５ｂを閉じた状態でインク補給ポンプ１２ｂを駆動する。
【００８５】
インク補給動作終了後、供給開閉弁１５ｂを開き、ヘッドに対してインクを供給できる状態にし、供給開閉弁１５ｃは閉じておく。
【００８６】
負圧充填回復の負圧力充填動作として、流路切換器５ｂにより吸引ポンプ８と圧力室７は連通させ流路切換器５ａによりキャップ４と圧力室７との接続は閉じる。この動作により、ポンプ８で発生する吸引力は直接ヘッド１に作用することはない。
【００８７】
さらに、圧力室７の大気開放弁７ａも閉じた状態で吸引ポンプ８を駆動させる。この動作を行うことで図中矢印Ａへ空気の流れが生じ圧力室７内が減圧される。
【００８８】
約２０秒減圧を行うことで、圧力室７内が−０．８ｋｇｆ／ｃｍ２〜−０．９ｋｇｆ／ｃｍ２程度になり、その後、吸引ポンプ８を停止する。（図３）
時間は使用するヘッド、圧力室の容積に応じて適宜決定すればよく、２インチヘッドを用いるなら半分程度で済み、それ以下のヘッドであればその分短縮すればよい。
【００８９】
次に、ヘッドへのインク供給動作として、圧力室７内が所定の負圧に達した状態で、流路切換器５ｂを作用させ、吸引ポンプ８と圧力室７間の接続を閉じる。続いて流路切換器５ａによりキャップ４ａと圧力室７を連通させる。
【００９０】
キャップ４ａはノズル２ａを密閉状態に覆っている為に、圧力室７内に蓄積された負圧がキャップ４内を介在して記録ヘッド１ａの全ノズル２ａからさらにサブタンク１５内に至るインクに作用する。
【００９１】
圧力室７内は既に高い負圧力を保持しているために、一気にノズル２ａに高い負圧力が作用する。すなわち、泡は急激に流速を上げ、インク内に在る流動性の低い泡をノズル２ａより吸引する効果を持つ。（図４）
５秒程度、インクをノズル２ａから吸引した後、流路切換器５ａにより、キャップ４ａと圧力室７を閉鎖する。
【００９２】
その後、ヘッドユニット１をキャップ４ａから離間し、続けて供給開閉弁１５ｃを開放して、インク加圧ポンプ１２ａにより，ヘッド内のインクを加圧し、返還チューブ９ｂ内にもインクを充填させインク充填は完了する。
【００９３】
一方、吸引装置は圧力室７からインクを排出するため、圧力室７に設けた大気開放弁７ａを開放して圧力室７内に残留している負圧を大気に開放する。大気開放弁７を圧力室７の上部に設けることで、大気に開放した際インクが圧力室７外部に漏れることは無い。
【００９４】
流路切換器５ｂを駆動して、吸引タンク８と圧力室７を連通状態にして吸引ポンプ８を駆動する。
【００９５】
吸引ポンプを矢印Ａ方向に駆動させると、吸引ポンプ８によって圧力室７のインクに直接吸引力が働くことから圧力室７内の廃インクが吸引ポンプを介して圧力室から排出される。（図５）
本構成では吸引ポンプ８の出口（圧力室とは他端側）は廃棄される構成であるが、この時吸引されたインクは通常廃インクとして廃棄されるが、インクを再度利用する形態（以下インクリサイクル）も考えられ、インクリサイクルとして用いることも何ら問題が無い。これら一連の動作により、負圧充填回復は終了する。
【００９６】
その後、ヘッドユニット１がキャップ部材４ａの間隙を印字可能な位置まで下降し、所定の印字をメディアに３０に対して行う。
【００９７】
図６はキャップから直接ポンプを用いて吸引する従来の回復方法（以下通常回復）を示す。
【００９８】
流路切換器５ａ，５ｂにより圧力室７を介さず吸引ポンプ８とキャップ４を直結し吸引ポンプ８の吸引力で直接インク吸引を行う（矢印Ｃ）。
【００９９】
圧力室７を通過する場合の全流路容積に比べ、迂回流路６ｄを通過する場合の全流路容積は、構成するチューブの断面積と、流路長による容積で構成されている為に小さい、よって圧力室７内で発生させられるような大きな負圧力を継続的には得られない。
【０１００】
しかし、圧力室７の流路容積との差を設けて、できるだけ小さく構成する。よって、迂回する流路の流路容積が小さくなりポンプ８で発生させる負圧力がヘッドに作用するまでの時間を短くすることが可能である。
【０１０１】
すなわち、ヘッド１ａに対して強めの圧力を用いて回復したい場合（ヘッド内の泡混入が顕著な場合、インクの流動性が著しく低下した場合）負圧充填回復を用い。
【０１０２】
その他、定期的な回復等の弱い負圧で十分な回復時で、時間を短縮したい場合は、通常負圧回復を用いる。
【０１０３】
＜第２の実施形態＞
図７は本発明の第２の実施例を示す記録ヘッド１ａ及び回復装置の拡大斜視図である。同様の機構部には同番号を付与する。本発明では６ヶ所に備えられた各密閉キャップ４ａ〜４ｆに対しそれぞれ連結チューブ６ａ１〜６ａ６の一端が接続されており、各連結チューブ６ａ１〜６ａ６の他端は継ぎ手部材である分岐ジョイント９と接続されている。
【０１０４】
ジョイント９の連結チューブ６ａ１〜６ａ６が接続されていない他端側は、連結された流路となる集中流路９ａにまとめられている。
【０１０５】
集中流路９ａは流路切換器５ａに接続され、連結チューブ６ｂ、迂回流路６ｄと連通している。連結チューブ６ｂの先には圧力室７、迂回流路６ｄの先には流路切換器５ｂ、流路切換器５ｂは連結チューブ６ｃを介して圧力室７と連通している。
【０１０６】
流路切換器５ｂは連結チューブ６ｅを介在して吸引ポンプ８と接続されている。
【０１０７】
キャップ部材４ａ、連結チューブ６ａ、６ｂ，６ｃ、切換器５ａ、５ｂ、圧力室７、迂回流路６ｄ、大気開放弁７ａ、吸引ポンプ８、これら構成は本発明第１の形態と同じものである。
【０１０８】
以上構成によれば、連結チューブ６ｂ，６ｃ、切換器５ａ、５ｂ、圧力室７、迂回流路６ｄ、大気開放弁７ａ、吸引ポンプ８、を含む構成が１つで、６本搭載される記録ヘッド同時にクリーニングを行うことが可能になる。
【０１０９】
＜第３の実施形態＞
図８は本発明の第３の実施例を示す記録ヘッド１ａ及び回復装置の拡大斜視図である。同様の機構部には同番号を付与する。本発明では６ヶ所に備えられた各密閉キャップ４ａ〜４ｆに対しそれぞれ連結チューブ６ａ１〜６ａ６の一端が接続されており、各連結チューブ６ａ１〜６ａ６の他端は流路選択ジョイント１０と接続されている。
【０１１０】
流路選択ジョイント１０の連結チューブ６ａ１〜６ａ６が接続された他端側は１つの集中流路１０ｊにまとめられている。流路選択ジョイント１０には流路選択ソレノイド１０ａ〜１０ｆが備えられている。
【０１１１】
各連結チューブ６ａ１〜６ａ６は各流路選択ソレノイド１０ａ〜１０ｆを選択駆動することにより各連結チューブ６ａ１〜６ａ６個別に開閉可能に構成されている。
【０１１２】
集中流路１０ｊは流路切換器５ａに接続され、連結チューブ６ｂ、迂回流路６ｄと連通している。連結チューブ６ｂの先には圧力室７、迂回流路６ｄの先には流路切換器５ｂ、流路切換器５ｂは連結チューブ６ｃを介して圧力室７と連通している。
【０１１３】
流路切換器５ｂは連結チューブ６ｅを介在して吸引ポンプ８と接続されている。
【０１１４】
キャップ部材４ａ、連結チューブ６ａ、６ｂ，６ｃ、切換器５ａ、５ｂ、圧力室７、迂回流路６ｄ、大気開放弁７ａ、吸引ポンプ８、これら構成は本発明第１の形態と同じものである。
【０１１５】
以上構成によれば、連結チューブ６ｂ，６ｃ、切換器５ａ、５ｂ、圧力室７、迂回流路６ｄ、大気開放弁７ａ、吸引ポンプ８、を含む構成が１つで、６本搭載される記録ヘッドを選択的、又は６本全て同時にクリーニングを行うことが可能になる。
【図面の簡単な説明】
【０１１６】
【図１】本発明第１実施例を表すインクジェット記録装置の正面図である。
【図２】本発明第１実施例のインク流路の簡略図である。
【図３】本発明第１実施例のインクジェット記録装置の負圧充填動作を示す図である。
【図４】本発明第１実施例のインクジェット記録装置の吸引動作を示す図である。
【図５】本発明第１実施例のインクジェット記録装置の廃インク排出動作を示す図である。
【図６】本発明第１実施例のインクジェット記録装置の通常回復動作を示す図である。
【図７】本発明の第２実施例を表すインクジェット記録装置の概略斜視図
【図８】本発明の第３実施例を表すインクジェット記録装置の概略斜視図
【符号の説明】
【０１１７】
１：ヘッドユニット部
２：供給ユニット部
４：キャップユニット
４ａ，４ｂ，４ｃ，４ｄ，４ｅ，４ｆ：キャップ
５ａ，５ｂ：流路切換器
６ａ，６ｂ，６ｃ，６ｄ，６ｅ：連結チューブ
７：圧力室
７ａ：大気開放弁
８：吸引ポンプ
８ａ：壁部材
８ｂ：コロ
８ｃ：コロホルダ
８ｄ：ギア
８ｅ：モーター
９：分岐ジョイント
１０：流路選択ジョイント
１０ａ，１０ｂ，１０ｃ，１０ｄ，１０ｅ，１０ｆ：流路選択ソレノイド
【図１】
2008254343.tif 000003
【図２】
2008254343.tif 000004
【図３】
2008254343.tif 000005
【図４】
2008254343.tif 000006
【図５】
2008254343.tif 000007
【図６】
2008254343.tif 000008
【図７】
2008254343.tif 000009
【図８】
2008254343.tif 000010